(57)【要約】【課題】カード処理装置の装置フレームの後ろ側に引き抜かれて取り外されるカード回収庫において、カードが載置される載置面が前側に向かうにしたがって上側に向かうように傾斜していても、所定枚数を超えるカードがカード回収庫に積層されて収容されたときに、装置フレームから後ろ側へ引き抜くことが可能となるカード回収庫を提供する。【解決手段】カード回収庫６では、上面が開口するとともに回収されたカードが積層されて収容されるカード収容部６ａは、カードが載置される載置面６ｈを有する載置板６ｇを備えている。載置面６ｈは、前側に向かうにしたがって上側に向かうように傾斜している。カード回収庫６では、載置板６ｇは、カード収容部６ａの後面部６ｅに繋がるとともに、カード収容部６ａの前面部６ｄおよびカード収容部６ａの側面部６ｆから切り離されており、載置板６ｇの前端側が上下方向に移動する載置板６ｇの弾性変形が可能となっている。【選択図】図２
2019079106.tif 000002
【特許請求の範囲】
【請求項１】
カードの処理を行うカード処理装置で回収される前記カードが斜め前上側から取り込まれるとともに、前記カード処理装置の装置フレームの後ろ側から前記装置フレームに差し込まれて前記装置フレームに取り付けられ、かつ、前記装置フレームの後ろ側に引き抜かれて前記装置フレームから取り外されるカード回収庫であって、
上面が開口するとともに回収された前記カードが積層されて収容される箱状のカード収容部を備え、
前記カード収容部は、前記カード収容部の前面を構成する前面部と、前記カード収容部の後面を構成する後面部と、前記カード収容部の左右の側面を構成する２個の側面部と、前記カードが載置される載置面を有する板状の載置板とを備え、
前記載置面は、前側に向かうにしたがって上側に向かうように傾斜し、
前記載置板の後端が前記後面部に繋がり、かつ、前記載置板の前端が前記前面部から切り離されているとともに前記載置板の左右の両端の少なくとも前側部分が前記側面部から切り離されていて、前記載置板の前端側が上下方向に移動する前記載置板の弾性変形が可能となっていることを特徴とするカード回収庫。
【請求項２】
前記前面部と前記後面部と２個の前記側面部と前記載置板とは、樹脂で形成されるとともに一体で形成されていることを特徴とする請求項１記載のカード回収庫。
【請求項３】
前記載置板の左右の両端の後端部のみが前記側面部に繋がっているか、または、前記載置板の左右の両端の全体が前記側面部から切り離されていることを特徴とする請求項１または２記載のカード回収庫。
【請求項４】
前記前面部の後面には、後ろ側に向かうにしたがって下側に向かうように傾斜する傾斜面が形成され、
前記傾斜面の少なくとも一部は、前記載置面の前端よりも上側に配置されていることを特徴とする請求項１から３のいずれかに記載のカード回収庫。
【請求項５】
前記前面部の上端面には、前記前面部の上端面よりも上側に突出する前端側突起が形成され、
前記前端側突起の後端は、前記前面部の上端面の後端よりも後ろ側に配置されていることを特徴とする請求項１から４のいずれかに記載のカード回収庫。
【請求項６】
前記後面部の上端面には、前記後面部の上端面よりも上側に突出する後端側突起が形成されていることを特徴とする請求項１から５のいずれかに記載のカード回収庫。
【請求項７】
カードの処理を行うカード処理装置で回収される前記カードが斜め前上側から取り込まれるとともに、前記カード処理装置の装置フレームの後ろ側から前記装置フレームに差し込まれて前記装置フレームに取り付けられ、かつ、前記装置フレームの後ろ側に引き抜かれて前記装置フレームから取り外されるカード回収庫であって、
上面が開口するとともに回収された前記カードが積層されて収容される箱状のカード収容部を備え、
前記カード収容部は、前記カード収容部の前面を構成する前面部と、前記カード収容部の後面を構成する後面部と、前記カード収容部の左右の側面を構成する２個の側面部と、前記カードが載置される載置面を有する板状の載置板と、前記載置板の前端側を上側に向かって付勢する付勢部材とを備え、
前記載置板は、左右方向を回動の軸方向とするとともに前記載置板の後端部を回動中心とする前記載置板の回動が可能となるように前記後面部または２個の前記側面部に保持され、
前記載置面は、前側に向かうにしたがって上側に向かうように傾斜していることを特徴とするカード回収庫。
【請求項８】
請求項１から６のいずれかに記載のカード回収庫と、前記カード回収庫が着脱可能に取り付けられる前記装置フレームと、前記カード回収庫の斜め前上側に配置されるカードリーダとを備え、
前記カード収容部には、前記カードリーダから排出される前記カードが収容され、
前記装置フレームには、前記カード回収庫が前記装置フレームに取り付けられた状態において前記カード収容部より後ろ側に配置されるとともに前記カード回収庫より上側に配置され、かつ、下側を向くフレーム下面が形成され、
前記装置フレームから後ろ側へ前記カード回収庫が引き抜かれるときに、前記カード収容部に積層されて収容される前記カードのうちの一番上に配置される前記カードの上面が前記フレーム下面に接触すると、前記載置板が弾性変形して前記載置板の前端側が下側に移動することを特徴とするカード処理装置。
【請求項９】
請求項７記載のカード回収庫と、前記カード回収庫が着脱可能に取り付けられる前記装置フレームと、前記カード回収庫の斜め前上側に配置されるカードリーダとを備え、
前記カード収容部には、前記カードリーダから排出される前記カードが収容され、
前記装置フレームには、前記カード回収庫が前記装置フレームに取り付けられた状態において前記カード収容部より後ろ側に配置されるとともに前記カード回収庫より上側に配置され、かつ、下側を向くフレーム下面が形成され、
前記装置フレームから後ろ側へ前記カード回収庫が引き抜かれるときに、前記カード収容部に積層されて収容される前記カードのうちの一番上に配置される前記カードの上面が前記フレーム下面に接触すると、前記載置板の後端部を回動中心にして前記載置板が回動して前記載置板の前端側が下側に移動することを特徴とするカード処理装置。
【発明の詳細な説明】
【技術分野】
【０００１】
本発明は、カード処理装置で回収されるカードが収容されるカード回収庫に関する。また、本発明は、かかるカード回収庫を備えるカード処理装置に関する。
【背景技術】
【０００２】
従来、カードの発行機能とカードの回収機能とを備えるカード発行装置が知られている（たとえば、特許文献１参照）。特許文献１に記載のカード発行装置は、カードリーダと、カードを発行するカード発行部と、不要なカードを回収するためのカード回収庫とを備えている。カード回収庫は、上面が開口する直方体の箱状に形成されており、カード発行装置の装置フレームに固定されている。カード回収庫は、カード発行部の下側に配置されている。また、カード回収庫は、カードリーダの斜め後ろ下側に配置されている。
【０００３】
特許文献１に記載のカード発行装置では、カードリーダから後ろ側へ排出される不要なカードが、斜め前上側からカード回収庫に取り込まれて収容される。また、カード回収庫には、カードが積層されて収容される。カード回収庫の底面を構成する底面部は、回収されるカードがカード回収庫に整然と収容されるように、前側に向かうにしたがって上側に向かうように傾斜している。そのため、カード回収庫に収容されるカードの前端部（カードリーダ側の端部）は、カードの後端部よりも上側に配置されている。
【先行技術文献】
【特許文献】
【０００４】
【特許文献１】特開２００８−１６５４８３号公報
【発明の概要】
【発明が解決しようとする課題】
【０００５】
特許文献１のカード発行装置では、カード回収庫がカード発行装置の装置フレームに固定されているため、カード回収庫に回収された複数枚のカードをカード発行装置から取り出すときには、装置フレームに設けられた開口部等から、回収された複数枚のカードをばらばらに取り出さなければならない。したがって、このカード発行装置では、回収されたカードの取出作業が煩雑になる。
【０００６】
そこで、本願発明者は、カード回収庫に回収された複数枚のカードを一括で取り出すことが可能となるように、装置フレームに対して着脱可能なカード回収庫の設置を検討している。また、本願発明者は、装置フレームの後ろ側からカード回収庫を装置フレームに差し込んで装置フレームにカード回収庫を取り付けること、および、装置フレームから後ろ側にカード回収庫を引き抜いて装置フレームからカード回収庫を取り外すことを検討している。
【０００７】
しかしながら、回収されるカードがカード回収庫に整然と収容されるように、カード回収庫の底面部が前側に向かうにしたがって上側に向かうように傾斜している場合には、カード回収庫に積層されて収容されるカードも前側に向かうにしたがって上側に向かうように傾斜するため、所定枚数を超えるカードがカード回収庫に収容されると、カード回収庫に積層されて収容されるカードのうちの上側に配置されるカードの前端部がカード回収庫の上端よりも上側へ飛び出しやすくなる。
【０００８】
カードの前端部がカード回収庫の上端よりも上側へ飛び出している状態のカード回収庫を装置フレームから後ろ側に引き抜くと、カード回収庫に収容された一番上のカードの上面と装置フレームとが接触するおそれがある。また、装置フレームから後ろ側にカード回収庫を引き抜くときに、カード回収庫に収容された一番上のカードの上面と装置フレームとが接触すると、一番上のカードが装置フレームに引っ掛かってカード回収庫を後ろ側へ引き抜くことができなくなるおそれがある。
【０００９】
そこで、本発明の課題は、カード処理装置で回収されるカードが斜め前上側から取り込まれるとともに、カード処理装置の装置フレームの後ろ側に引き抜かれて装置フレームから取り外されるカード回収庫において、カード回収庫に回収されたカードが載置される載置面が前側に向かうにしたがって上側に向かうように傾斜していても、所定枚数を超えるカードがカード回収庫に積層されて収容されたときに、装置フレームから後ろ側へ引き抜くことが可能となるカード回収庫を提供することにある。また、本発明の課題は、かかるカード回収庫を備えるカード処理装置を提供することにある。
【課題を解決するための手段】
【００１０】
上記の課題を解決するため、本発明のカード回収庫は、カードの処理を行うカード処理装置で回収されるカードが斜め前上側から取り込まれるとともに、カード処理装置の装置フレームの後ろ側から装置フレームに差し込まれて装置フレームに取り付けられ、かつ、装置フレームの後ろ側に引き抜かれて装置フレームから取り外されるカード回収庫であって、上面が開口するとともに回収されたカードが積層されて収容される箱状のカード収容部を備え、カード収容部は、カード収容部の前面を構成する前面部と、カード収容部の後面を構成する後面部と、カード収容部の左右の側面を構成する２個の側面部と、カードが載置される載置面を有する板状の載置板とを備え、載置面は、前側に向かうにしたがって上側に向かうように傾斜し、載置板の後端が後面部に繋がり、かつ、載置板の前端が前面部から切り離されているとともに載置板の左右の両端の少なくとも前側部分が側面部から切り離されていて、載置板の前端側が上下方向に移動する載置板の弾性変形が可能となっていることを特徴とする。
【００１１】
本発明のカード回収庫では、カードが載置されるカード収容部の載置板の後端がカード収容部の後面部に繋がり、かつ、載置板の前端がカード収容部の前面部から切り離されているとともに載置板の左右の両端の少なくとも前側部分がカード収容部の側面部から切り離されていて、載置板の前端側が上下方向に移動する載置板の弾性変形が可能となっている。
【００１２】
そのため、本発明では、所定枚数を超えるカードが積層されて収容されたカード回収庫を装置フレームから後ろ側へ引き抜くときに、カード収容部に収容されるカードのうちの一番上に配置されるカードの上面が装置フレームに接触しても、載置板の前端側を下側に移動させて、載置板に載置されるカードの前端部（すなわち、カード収容部に収容されるカードの前端部）を下側に移動させることが可能になり、その結果、カード収容部に収容される一番上のカードが装置フレームに引っ掛かるのを防止することが可能になる。したがって、本発明では、カード回収庫に回収されたカードが載置される載置面が前側に向かうにしたがって上側に向かうように傾斜していても、所定枚数を超えるカードが積層されて収容されたカード回収庫を装置フレームから後ろ側へ引き抜くことが可能となる。
【００１３】
本発明において、前面部と後面部と２個の側面部と載置板とは、樹脂で形成されるとともに一体で形成されていることが好ましい。このように構成すると、たとえば、載置板が別体で形成されている場合と比較して、カード回収庫の構成を簡素化することが可能になり、その結果、カード回収庫のコストを低減することが可能になる。
【００１４】
本発明において、載置板の左右の両端の後端部のみが側面部に繋がっているか、または、載置板の左右の両端の全体が側面部から切り離されていることが好ましい。このように構成すると、載置板の前端側がより大きく下側へ移動するように載置板を弾性変形させることが可能になる。したがって、所定枚数を超えるカードが積層されて収容されたカード回収庫を装置フレームから後ろ側へ引き抜くときに、カード収容部に収容される一番上のカードと装置フレームとが接触しても、一番上のカードが装置フレームにより引っ掛かりにくくなる。
【００１５】
本発明において、前面部の後面には、後ろ側に向かうにしたがって下側に向かうように傾斜する傾斜面が形成され、傾斜面の少なくとも一部は、載置面の前端よりも上側に配置されていることが好ましい。このように構成すると、載置板の前端側が下側に移動するように載置板が弾性変形するときに、載置板に載置されるカードの前端が傾斜面に沿って移動しやすくなる。すなわち、載置板の前端側が下側に移動するように載置板が弾性変形するときに、載置板に載置されるカードの前端が前面部の後面に引っ掛かりにくくなる。したがって、カード収容部に収容されるカードの前端部を載置板の前端側と一緒に下側へ移動させやすくなる。その結果、所定枚数を超えるカードが積層されて収容されたカード回収庫を装置フレームから後ろ側へ引き抜くときに、カード収容部に収容される一番上のカードと装置フレームとが接触しても、一番上のカードが装置フレームにより引っ掛かりにくくなる。
【００１６】
本発明において、前面部の上端面には、前面部の上端面よりも上側に突出する前端側突起が形成され、前端側突起の後端は、前面部の上端面の後端よりも後ろ側に配置されていることが好ましい。このように構成すると、所定枚数以下のカードが積層されて収容されたカード回収庫が後ろ側へ急激に引き抜かれたときに、上側に配置されるカードが前面部の上端面に乗り上がるのを前端側突起によって防止することが可能になる。したがって、所定枚数以下のカードが積層されて収容されたカード回収庫が後ろ側へ急激に引き抜かれても、前面部の上端面と装置フレームとの間でのカードの詰まりを防止して、カード回収庫を後ろ側へ引き抜くことが可能になる。
【００１７】
本発明において、後面部の上端面には、後面部の上端面よりも上側に突出する後端側突起が形成されていることが好ましい。このように構成すると、カード収容部に収容されたカードの後端部が、後面部の上端面に乗り上がるのを後端側突起によって防止することが可能になる。したがって、カードが積層されて収容されたカード回収庫を後ろ側へ引き抜くときの後面部の上端面と装置フレームとの間でのカードの詰まりを防止して、カード回収庫を後ろ側へ引き抜くことが可能になる。
【００１８】
また、上記の課題を解決するため、本発明のカード回収庫は、カードの処理を行うカード処理装置で回収されるカードが斜め前上側から取り込まれるとともに、カード処理装置の装置フレームの後ろ側から装置フレームに差し込まれて装置フレームに取り付けられ、かつ、装置フレームの後ろ側に引き抜かれて装置フレームから取り外されるカード回収庫であって、上面が開口するとともに回収されたカードが積層されて収容される箱状のカード収容部を備え、カード収容部は、カード収容部の前面を構成する前面部と、カード収容部の後面を構成する後面部と、カード収容部の左右の側面を構成する２個の側面部と、カードが載置される載置面を有する板状の載置板と、載置板の前端側を上側に向かって付勢する付勢部材とを備え、載置板は、左右方向を回動の軸方向とするとともに載置板の後端部を回動中心とする載置板の回動が可能となるように後面部または２個の側面部に保持され、載置面は、前側に向かうにしたがって上側に向かうように傾斜していることを特徴とする。
【００１９】
本発明のカード回収庫では、カードが載置されるカード収容部の載置板は、左右方向を回動の軸方向とするとともに載置板の後端部を回動中心とする載置板の回動が可能となるようにカード収容部の後面部またはカード収容部の２個の側面部に保持されている。また、本発明では、載置板の前端側は、付勢部材によって上側に向かって付勢されている。
【００２０】
そのため、本発明では、所定枚数を超えるカードが積層されて収容されたカード回収庫を装置フレームから後ろ側へ引き抜くときに、カード収容部に収容されるカードのうちの一番上に配置されるカードの上面が装置フレームに接触しても、載置板の前端側を下側に移動させて、載置板に載置されるカードの前端部（すなわち、カード収容部に収容されるカードの前端部）を下側に移動させることが可能になり、その結果、カード収容部に収容される一番上のカードが装置フレームに引っ掛かるのを防止することが可能になる。したがって、本発明では、カード回収庫に回収されたカードが載置される載置面が前側に向かうにしたがって上側に向かうように傾斜していても、所定枚数を超えるカードが積層されて収容されたカード回収庫を装置フレームから後ろ側へ引き抜くことが可能となる。
【００２１】
本発明のカード回収庫は、カード回収庫が着脱可能に取り付けられる装置フレームと、カード回収庫の斜め前上側に配置されるカードリーダとを備えるカード処理装置に用いることができる。このカード処理装置では、たとえば、カード収容部には、カードリーダから排出されるカードが収容され、装置フレームには、カード回収庫が装置フレームに取り付けられた状態においてカード収容部より後ろ側に配置されるとともにカード回収庫より上側に配置され、かつ、下側を向くフレーム下面が形成され、装置フレームから後ろ側へカード回収庫が引き抜かれるときに、カード収容部に積層されて収容されるカードのうちの一番上に配置されるカードの上面がフレーム下面に接触すると、載置板が弾性変形して載置板の前端側が下側に移動する。このカード処理装置では、カード回収庫に回収されたカードが載置される載置面が前側に向かうにしたがって上側に向かうように傾斜していても、所定枚数を超えるカードが積層されて収容されたカード回収庫を装置フレームから後ろ側へ引き抜くことが可能となる。
【００２２】
また、本発明のカード回収庫は、カード回収庫が着脱可能に取り付けられる装置フレームと、カード回収庫の斜め前上側に配置されるカードリーダとを備えるカード処理装置に用いることができる。このカード処理装置では、たとえば、カード収容部には、カードリーダから排出されるカードが収容され、装置フレームには、カード回収庫が装置フレームに取り付けられた状態においてカード収容部より後ろ側に配置されるとともにカード回収庫より上側に配置され、かつ、下側を向くフレーム下面が形成され、装置フレームから後ろ側へカード回収庫が引き抜かれるときに、カード収容部に積層されて収容されるカードのうちの一番上に配置されるカードの上面がフレーム下面に接触すると、載置板の後端部を回動中心にして載置板が回動して載置板の前端側が下側に移動する。このカード処理装置では、カード回収庫に回収されたカードが載置される載置面が前側に向かうにしたがって上側に向かうように傾斜していても、所定枚数を超えるカードが積層されて収容されたカード回収庫を装置フレームから後ろ側へ引き抜くことが可能となる。
【発明の効果】
【００２３】
以上のように、本発明では、カード回収庫に回収されたカードが載置される載置面が前側に向かうにしたがって上側に向かうように傾斜していても、所定枚数を超えるカードが積層されて収容されたカード回収庫を装置フレームから後ろ側へ引き抜くことが可能となる。
【図面の簡単な説明】
【００２４】
【図１】本発明の実施の形態にかかるカード処理装置の側面図である。
【図２】（Ａ）は、図１に示すカード回収庫の平面図であり、（Ｂ）は、（Ａ）のＥ−Ｅ断面の断面図である。
【図３】（Ａ）は、図２（Ｂ）に示すカード収容部にカードが収容された状態の断面図であり、（Ｂ）は、（Ａ）のＦ部の拡大図であり、（Ｃ）は、（Ａ）のＧ部の拡大図である。
【図４】（Ａ）は、図２（Ｂ）に示すカード収容部に所定枚数を超えるカードが収容された状態を示す断面図であり、（Ｂ）は、（Ａ）に示すカード収容部がカード回収部から引き抜かれるときの状態を示す断面図である。
【図５】本発明の他の実施の形態にかかるカード回収庫の構成を説明するための断面図である。
【発明を実施するための形態】
【００２５】
以下、図面を参照しながら、本発明の実施の形態を説明する。
【００２６】
（カード処理装置の概略構成）
図１は、本発明の実施の形態にかかるカード処理装置１の側面図である。図２（Ａ）は、図１に示すカード回収庫６の平面図であり、図２（Ｂ）は、図２（Ａ）のＥ−Ｅ断面の断面図である。
【００２７】
カード処理装置１は、カード２の処理を行う装置である。本形態のカード処理装置１は、内部に収容されたカード２を発行する機能と、不要、使用済み、あるいは、エラーとなったカード２（以下、「不要なカード２」とする。）を回収する機能とを備えるカード発行装置である。したがって、以下では、本形態のカード処理装置１を「カード発行装置１」とする。カード発行装置１は、カード２に記録されたデータの読取りおよびカード２へのデータの記録の少なくともいずれか一方を行うカードリーダ３と、カードリーダ３が取り付けられる装置フレーム４とを備えている。
【００２８】
また、カード発行装置１は、発行前のカード２が収容されるとともに装置フレーム４に着脱可能に取り付けられるカード供給庫５と、回収されたカード２が収容されるとともに装置フレーム４に着脱可能に取り付けられるカード回収庫６とを備えている。装置フレーム４は、たとえば、樹脂で形成されている。また、装置フレーム４は、カードリーダ３が載置される載置部４ａと、カード供給庫５が取り付けられるカード供給部４ｂと、カード回収庫６が取り付けられるカード回収部４ｃとから構成されている。
【００２９】
カード供給庫５は、カード回収庫６の上側に配置されている。カードリーダ３は、カード供給庫５およびカード回収庫６の前側に配置されている。具体的には、カードリーダ３は、カード供給庫５の下端部の前側に配置されている。また、カードリーダ３は、カード回収庫６の斜め前上側に配置されている。載置部４ａは、カード回収部４ｃの前端に繋がっている。カード供給部４ｂは、カード回収部４ｃの上端に繋がっている。
【００３０】
カード２は、たとえば、厚さが０．７〜０．８ｍｍ程度の略長方形状の塩化ビニール製のカードである。カード２には、たとえば、磁気データが記録される磁気ストライプが形成されている。また、カード２には、たとえば、ＩＣチップが内蔵されている。なお、カード２は、厚さが０．１８〜０．３６ｍｍ程度のＰＥＴ（ポリエチレンテレフタレート）カードや、所定の厚さの紙カード等であっても良い。
【００３１】
カードリーダ３の内部には、カード２が搬送されるカード搬送路が形成されている。カードリーダ３は、カード搬送路でカード２を搬送するためのカード搬送機構を備えている。カード搬送路では、カード２が前後方向に搬送される。また、カードリーダ３は、たとえば、磁気ヘッドやＩＣ接点ブロック等を備えている。カード供給庫５は、略直方体状に形成されるとともに、内部にカード２が収容可能となるように中空の箱状に形成されている。カード供給庫５には、発行前の複数のカード２が積層されて収容されている。カード供給庫５は、装置フレーム４のカード供給部４ｂに上側から差し込まれて取り付けられる。また、カード供給部４ｂに取り付けられたカード供給庫５は、上側に引き抜かれてカード供給部４ｂから取り外される。
【００３２】
カード供給庫５とカード回収庫６との間には、カード供給庫５に積層されて収容された複数のカード２の中で一番下に収容されているカード２をカードリーダ３に向かって送り出すカード送出機構が配置されている。このカード送出機構は、装置フレーム４の内部に配置されている。また、このカード送出機構は、たとえば、カード供給庫５に収容された一番下のカード２の後端に係合するとともにカード供給庫５からカード２を１枚ずつ送り出す送出爪と、この送出爪を駆動する駆動機構とを備えている。
【００３３】
カード回収庫６は、上下方向の厚さが薄い扁平な略直方体状に形成されている。また、カード回収庫６は、一体成形された樹脂部品である。カード回収庫６は、装置フレーム４の後ろ側から装置フレーム４のカード回収部４ｃに差し込まれてカード回収部４ｃに取り付けられる。また、カード回収庫６は、装置フレーム４の後ろ側に引き抜かれてカード回収部４ｃから取り外される。すなわち、カード回収庫６は、カード回収部４ｃに対して直線的に抜差可能となっている。カード回収庫６は、上面が開口するとともに回収されたカード２が積層されて収容される箱状のカード収容部６ａを備えている。カード収容部６ａの具体的な構成については後述する。
【００３４】
カード回収庫６の後端部には、カード回収庫６を引き抜くときに作業員が指を引っ掛ける凹部６ｂが形成されている。また、カード回収庫６の後端部には、カード回収部４ｃに取り付けられたカード回収庫６がカード回収部４ｃから引き抜かれないようにカード回収庫６をロックするための錠が収容される錠収容部６ｃが形成されている。凹部６ｂと錠収容部６ｃとは、左右方向で隣り合うように配置されている。また、凹部６ｂおよび錠収容部６ｃは、カード収容部６ａの後ろ側に配置されている。
【００３５】
カード回収部４ｃは、カード回収部４ｃの左右の側面を構成する２枚の側面部４ｄと、カード回収部４ｃの前面を構成する前面部４ｅとを備えている。また、カード回収部４ｃは、カード回収部４ｃに取り付けられた状態のカード回収庫６の凹部６ｂおよび錠収容部６ｃの上側に配置される上面部４ｆを備えている。前面部４ｅは、側面部４ｄの前端に繋がっている。上面部４ｆは、側面部４ｄの後端の上端側に繋がっている。カード回収庫６がカード回収部４ｃに取り付けられた状態では、カード回収庫６の前端が前面部４ｅに接触しており、カード収容部６ａは、２枚の側面部４ｄの間に配置されている。また、カード回収庫６がカード回収部４ｃに取り付けられた状態では、カード収容部６ａの後端と２枚の側面部４ｄの後端とが前後方向において一致している。
【００３６】
カード回収部４ｃの、上面部４ｆよりも前側の部分の上面は、カードリーダ３から排出されるカード２がカード収容部６ａに収容可能となるように開口している。すなわち、カード回収部４ｃの、カード収容部６ａの上側部分は、カードリーダ３から排出されるカード２がカード収容部６ａに収容可能となるように開口している。
【００３７】
上面部４ｆの下面４ｇは、上下方向に直交する平面となっている。上述のように、上面部４ｆは、カード回収部４ｃに取り付けられた状態のカード回収庫６の凹部６ｂおよび錠収容部６ｃの上側に配置されている。すなわち、下面４ｇは、カード回収部４ｃに取り付けられたカード回収庫６のカード収容部６ａより後ろ側に配置されるとともに、カード回収庫６より上側に配置されている。本形態の下面４ｇは、カード回収庫６がカード回収部４ｃに取り付けられた状態において、カード収容部６ａより後ろ側に配置されるとともに、カード回収庫６より上側に配置され、かつ、下側を向くフレーム下面である。
【００３８】
なお、カード回収部４ｃには、カード回収部４ｃにカード回収庫６が取り付けられたことを検知するためのセンサ、および、カード収容部６ａにカード２が取り込まれたことを検知するためのセンサ等が取り付けられている。これらのセンサは、たとえば、発光素子と受光素子とを有する光学式のセンサである。
【００３９】
（カード収容部の構成）
図３（Ａ）は、図２（Ｂ）に示すカード収容部６ａにカード２が収容された状態の断面図であり、図３（Ｂ）は、図３（Ａ）のＦ部の拡大図であり、図３（Ｃ）は、図３（Ａ）のＧ部の拡大図である。図４（Ａ）は、図２（Ｂ）に示すカード収容部６ａに所定枚数を超えるカード２が収容された状態を示す断面図であり、図４（Ｂ）は、図４（Ａ）に示すカード収容部６ａがカード回収部４ｃから引き抜かれるときの状態を示す断面図である。
【００４０】
カード収容部６ａは、上面が開口する扁平な略直方体の箱状に形成されている。カード収容部６ａは、カードリーダ３の斜め後ろ下側に配置されており、カード収容部６ａには、カードリーダ３から排出されるカード２が収容される。すなわち、カード発行装置１で回収されるカード２は、カードリーダ３のカード搬送機構によってカードリーダ３から後ろ側に排出され、カード回収庫６には、回収されるカード２が斜め前上側から取り込まれる。
【００４１】
カード収容部６ａは、カード収容部６ａの前面を構成する前面部６ｄと、カード収容部６ａの後面を構成する後面部６ｅと、カード収容部６ａの左右の側面を構成する２個の側面部６ｆと、カード収容部６ａの底面を構成する底面部６ｇとを備えている。前面部６ｄは、カード回収庫６の前面を構成している。後面部６ｅは、凹部６ｂおよび錠収容部６ｃの前面を構成している。側面部６ｆは、カード回収庫６の左右の側面の大半部分を構成している。上述のように、カード回収庫６は、一体成形された樹脂部品であり、前面部６ｄと後面部６ｅと２個の側面部６ｆと底面部６ｇとは、樹脂で形成されるとともに一体で形成されている。
【００４２】
底面部６ｇは、板状に形成されている。具体的には、底面部６ｇは、略長方形の平板状に形成されている。底面部６ｇの上面には、カード収容部６ａに収容されるカード２が載置される。すなわち、底面部６ｇの上面は、カード２が載置される載置面６ｈとなっている。本形態の底面部６ｇは、載置面６ｈを有する板状の載置板である。したがって、以下の説明では、底面部６ｇを「載置板６ｇ」とする。載置面６ｈは、前側に向かうにしたがって上側に向かうように傾斜している。すなわち、載置面６ｈは、前側に向かうにしたがって載置面６ｈの高さがしだいに高くなるように傾斜している。
【００４３】
載置板６ｇの後端は、後面部６ｅに繋がっている。具体的には、載置板６ｇの後端の全体が後面部６ｅの下端部に繋がっている。載置板６ｇの前端は、前面部６ｄに繋がっていない。すなわち、載置板６ｇの前端は、前面部６ｄから切り離されている。具体的には、載置板６ｇの前端の全体が前面部６ｄから切り離されている。また、載置板６ｇの左右の両端の少なくとも前側部分は、側面部６ｆに繋がっていない。すなわち、載置板６ｇの左右の両端の少なくとも前側部分は、側面部６ｆから切り離されている。本形態では、載置板６ｇの左右の両端の後端部のみが側面部６ｆに繋がっており、載置板６ｇの左右の両端のほぼ全体が側面部６ｆから切り離されている。
【００４４】
すなわち、カード収容部６ａには、載置板６ｇと前面部６ｄとの間の左右方向に細長いスリットと、載置板６ｇと側面部６ｆとの間の前後方向に細長いスリットとから構成される切欠き６ｊ（コの字状の切欠き部６ｊ）が形成されている。そのため、本形態では、図２（Ｂ）に示すように、載置板６ｇの前端側が上下方向に移動する載置板６ｇの弾性変形が可能となっている。すなわち、載置板６ｇの後端部を支点とする載置板６ｇの弾性変形が可能となっている。
【００４５】
前面部６ｄの後面には、後ろ側に向かうにしたがって下側へ向かうように傾斜する傾斜面６ｋが形成されている。具体的には、前面部６ｄは、左右方向に直交する三角形の平板状の複数のリブ６ｎが左右方向に間隔をあけた状態で形成されており、リブ６ｎの後面が傾斜面６ｋとなっている。前後方向に対する傾斜面６ｋの傾斜角度は、たとえば、４５°程度となっている。傾斜面６ｋの上端は、前面部６ｄの上端面６ｐの後端に繋がっている。上端面６ｐは、上下方向に直交する平面となっている。
【００４６】
傾斜面６ｋの下端は、載置面６ｈの前端よりも上側に配置されている。すなわち、傾斜面６ｋの全体は、載置面６ｈの前端よりも上側に配置されている。本形態では、傾斜面６ｋの下端は、載置面６ｈの前端よりもわずかに上側に配置されている。また、傾斜面６ｋの下端は、載置面６ｈの前端の前側に配置されている。なお、前面部６ｄの後面の、傾斜面６ｋの下端よりも上側の部分であって、かつ、傾斜面６ｋ以外の部分は、前後方向に直交する平面となっており、この平面の上端は、上端面６ｐの後端に繋がっている。
【００４７】
前面部６ｄの上端面６ｐには、上端面６ｐよりも上側に突出する前端側突起６ｒが形成されている。前端側突起６ｒは、左右方向における上端面６ｐの略中心位置に配置されている。前端側突起６ｒの左右方向の幅は、前面部６ｄの左右方向の幅よりも大幅に狭くなっている。前端側突起６ｒの後端は、上端面６ｐの後端よりも後ろ側に配置されている。すなわち、図３（Ｃ）に示すように、前端側突起６ｒの後端部は、前面部６ｄの上端部から後ろ側に向かってわずかに突出している。前端側突起６ｒの後端部の下面は、後ろ側に向かうにしたがって上側に向かうように傾斜する傾斜面となっている。前端側突起６ｒは、カード２が積層されて収容されたカード回収庫６が後ろ側へ急激に引き抜かれたときに、上側に配置されるカード２が前面部６ｄの上端面６ｐに乗り上がるのを防止する機能を果たしている（図３（Ｃ）参照）。
【００４８】
後面部６ｅの上端面には、後面部６ｅの上端面よりも上側に突出する後端側突起６ｔが形成されている。後端側突起６ｔは、左右方向における後面部６ｅの上端面の略中心位置に配置されている。後端側突起６ｔの左右方向の幅は、後面部６ｅの左右方向の幅よりも大幅に狭くなっている。後端側突起６ｔは、カード収容部６ａに収容されたカード２の後端部が、後面部６ｅの上端面に乗り上がるのを防止する機能を果たしている。
【００４９】
本形態では、通常、所定枚数のカード２がカード収容部６ａに積層されて収容されると、カード回収庫６がカード回収部４ｃから引き抜かれて、空のカード回収庫６がカード回収部４ｃに差し込まれる。カード収容部６ａに収容されるカード２の枚数が所定枚数以下である場合には、図３（Ａ）の実線で示すように、弾性変形していない状態の載置板６ｇに載置される複数枚のカード２のうちの一番上に配置されるカード２の前端は、カード収容部６ａの上端よりも下側に配置されている。そのため、所定枚数のカード２がカード収容部６ａに積層されて収容されたカード回収庫６が後ろ側に引き抜かれるときに、カード収容部６ａに収容される一番上のカード２の上面は、カード回収部４ｃの下面４ｇに接触しない。
【００５０】
一方、所定枚数を超えるカード２がカード収容部６ａに積層されて収容されると、たとえば、図４（Ａ）に示すように、弾性変形していない状態の載置板６ｇに載置される複数枚のカード２のうちの上側に配置されるカード２の前端がカード収容部６ａの上端よりも上側に配置される。そのため、所定枚数を超えるカード２がカード収容部６ａに積層されて収容されたカード回収庫６が後ろ側に引き抜かれるときには、カード収容部６ａに収容される一番上のカード２の上面がカード回収部４ｃの下面４ｇに接触する。
【００５１】
本形態では、カード回収部４ｃから後ろ側へカード回収庫６が引き抜かれるときに、カード収容部６ａに収容される一番上のカード２の上面がカード回収部４ｃの下面４ｇに接触すると、図４（Ｂ）に示すように、載置板６ｇが弾性変形して載置板６ｇの前端側が下側に移動する。すなわち、カード回収部４ｃから後ろ側へカード回収庫６が引き抜かれるときに、カード収容部６ａに収容される一番上のカード２の上面がカード回収部４ｃの下面４ｇに接触すると、載置板６ｇが弾性変形して載置板６ｇに載置される複数枚のカード２の前端側が下側に移動する。
【００５２】
（本形態の主な効果）
以上説明したように、本形態では、載置板６ｇの前端側が上下方向に移動する載置板６ｇの弾性変形が可能となっており、所定枚数を超えるカード２がカード収容部６ａに積層されて収容されたカード回収庫６が後ろ側に引き抜かれるときに、カード収容部６ａに収容される一番上のカード２の上面がカード回収部４ｃの下面４ｇに接触すると、載置板６ｇが弾性変形して載置板６ｇに載置される複数枚のカード２の前端側が下側に移動する。そのため、本形態では、所定枚数を超えるカード２がカード収容部６ａに積層されて収容されたカード回収庫６が後ろ側に引き抜かれるときに、カード収容部６ａに収容される一番上のカード２が装置フレーム４に引っ掛かるのを防止することが可能になる。
【００５３】
特に本形態では、載置板６ｇの左右の両端の後端部のみが側面部６ｆに繋がっており、載置板６ｇの左右の両端のほぼ全体が側面部６ｆから切り離されているため、載置板６ｇの前端側がより大きく下側へ移動するように載置板６ｇを弾性変形させることが可能になる。したがって、本形態では、所定枚数を超えるカード２が積層されて収容されたカード回収庫６を装置フレーム４から後ろ側へ引き抜くときに、カード収容部６ａに収容される一番上のカード２と装置フレーム４とが接触しても、一番上のカード２が装置フレーム４により引っ掛かりにくくなる。その結果、本形態では、載置面６ｈが前側に向かうにしたがって上側に向かうように傾斜していても、所定枚数を超えるカード２が積層されて収容されたカード回収庫６を装置フレーム４から後ろ側へ引き抜くことが可能となる。
【００５４】
また、本形態では、前面部６ｄの後面に、後ろ側に向かうにしたがって下側へ向かうように傾斜する傾斜面６ｋが形成されており、傾斜面６ｋの全体は、載置面６ｈの前端よりも上側に配置されている。そのため、本形態では、載置板６ｇの前端側が下側に移動するように載置板６ｇが弾性変形するときに、載置板６ｇに載置されるカード２の前端が傾斜面６ｋに沿って移動しやすくなる。すなわち、載置板６ｇの前端側が下側に移動するように載置板６ｇが弾性変形するときに、載置板６ｇに載置されるカード２の前端が前面部６ｄの後面に引っ掛かりにくくなる。したがって、本形態では、カード収容部６ａに収容されるカード２の前端部を載置板６ｇの前端側と一緒に下側へ移動させやすくなり、その結果、所定枚数を超えるカード２が積層されて収容されたカード回収庫６を装置フレーム４から後ろ側へ引き抜くときに、カード収容部６ａに収容される一番上のカード２と装置フレーム４とが接触しても、一番上のカード２が装置フレーム４により引っ掛かりにくくなる。
【００５５】
本形態では、前面部６ｄと後面部６ｅと２個の側面部６ｆと載置板６ｇとは、樹脂で形成されるとともに一体で形成されている。そのため、本形態では、たとえば、載置板６ｇが別体で形成されている場合と比較して、カード回収庫６の構成を簡素化することが可能になり、その結果、カード回収庫６のコストを低減することが可能になる。
【００５６】
本形態では、前面部６ｄの上端面６ｐに形成される前端側突起６ｒは、カード２が積層されて収容されたカード回収庫６が後ろ側へ急激に引き抜かれたときに、上側に配置されるカード２が上端面６ｐに乗り上がるのを防止する機能を果たしている。そのため、本形態では、所定枚数以下のカード２が積層されて収容されたカード回収庫６が後ろ側へ急激に引き抜かれても、上端面６ｐと装置フレーム４の下面４ｇとの間でのカード２の詰まりを防止して、カード回収庫６を後ろ側へ引き抜くことが可能になる。
【００５７】
なお、本形態では、前面部６ｄの後面に傾斜面６ｋが形成されているため、所定枚数以下のカード２が積層されて収容されたカード回収庫６が後ろ側へ急激に引き抜かれたときに、上側に配置されるカード２の前端が傾斜面６ｋに沿って移動して上側に配置されるカード２が前面部６ｄの上端面６ｐに乗り上がりやすくなる。しかしながら、本形態では、前端側突起６ｒによって、上側に配置されるカード２の上端面６ｐへの乗り上げを防止することが可能になる。
【００５８】
本形態では、後面部６ｅの上端面に形成される後端側突起６ｔは、カード収容部６ａに収容されたカード２の後端部が、後面部６ｅの上端面に乗り上がるのを防止する機能を果たしている。そのため、本形態では、カード２が積層されて収容されたカード回収庫６を後ろ側へ引き抜くときの後面部６ｅの上端面と装置フレーム４の下面４ｇとの間でのカード２の詰まりを防止して、カード回収庫６を後ろ側へ引き抜くことが可能になる。
【００５９】
（他の実施の形態）
上述した形態は、本発明の好適な形態の一例ではあるが、これに限定されるものではなく本発明の要旨を変更しない範囲において種々変形実施が可能である。
【００６０】
上述した形態では、載置板６ｇの左右の両端の後端部のみが側面部６ｆに繋がっており、載置板６ｇの左右の両端のほぼ全体が側面部６ｆから切り離されているが、載置板６ｇの左右の両端の前端部のみが側面部６ｆから切り離されていても良い。また、上述した形態において、載置板６ｇの左右の両端の全体が側面部６ｆから切り離されていても良い。また、上述した形態では、載置板６ｇの後端の全体が後面部６ｅに繋がっているが、載置板６ｇの後端の一部が後面部６ｅに繋がっていなくても良い。
【００６１】
上述した形態において、載置板６ｇは、前面部６ｄ、後面部６ｅおよび２個の側面部６ｆと別体で形成されていても良い。この場合には、たとえば、載置板６ｇは、ステンレス鋼板等で形成された金属製の板バネであっても良い。また、この場合には、載置板６ｇの後端は、たとえば、ネジ等によって後面部６ｅに固定されており、載置板６ｇの後端は、後面部６ｅに繋がっている。
【００６２】
また、載置板６ｇが、前面部６ｄ、後面部６ｅおよび２個の側面部６ｆと別体で形成されている場合には、図５に示すように、左右方向を回動の軸方向とするとともに載置板６ｇの後端部を回動中心とする載置板６ｇの回動が可能となるように、載置板６ｇが２個の側面部６ｆに保持されていても良い。この場合には、カード収容部６ａは、たとえば、２個の側面部６ｆのうちの一方の側面部６ｆに一端が固定されるとともに他方の側面部６ｆに他端が固定される固定軸１１を備えており、載置板６ｇの後端部には、固定軸１１が挿通される挿通穴が形成されている。また、この場合には、カード収容部６ａは、載置板６ｇの前端側を上側に向かって付勢する付勢部材としての圧縮コイルバネ１２を備えており、載置面６ｈは、前側に向かうにしたがって上側に向かうように傾斜している。
【００６３】
この場合には、所定枚数を超えるカード２がカード収容部６ａに積層されて収容されたカード回収庫６が後ろ側に引き抜かれるときに、カード収容部６ａに収容される一番上のカード２の上面がカード回収部４ｃの下面４ｇに接触すると、載置板６ｇの後端部を回動中心にして（より具体的には、固定軸１１を回動中心にして）載置板６ｇが回動して載置板６ｇの前端側が下側に移動する。すなわち、載置板６ｇに載置される複数枚のカード２の前端側が下側に移動する。
【００６４】
そのため、この場合であっても、所定枚数を超えるカード２がカード収容部６ａに積層されて収容されたカード回収庫６が後ろ側に引き抜かれるときに、カード収容部６ａに収容される一番上のカード２が装置フレーム４に引っ掛かるのを防止することが可能になる。したがって、この場合であっても、所定枚数を超えるカード２が積層されて収容されたカード回収庫６を装置フレーム４から後ろ側へ引き抜くことが可能となる。なお、固定軸１１は、後面部６ｅに固定されていても良い。すなわち、載置板６ｇは、左右方向を回動の軸方向とするとともに載置板６ｇの後端部を回動中心とする載置板６ｇの回動が可能となるように後面部６ｅに保持されていても良い。また、図５では、上述した形態と同一の構成については同一の符号を付している。
【００６５】
上述した形態において、傾斜面６ｋの下端は、載置面６ｈの前端より下側に配置されていても良い。すなわち、傾斜面６ｋの上端側の一部が載置面６ｈの前端より上側に配置されていても良い。また、上述した形態において、カード回収庫６に凹部６ｂおよび錠収容部６ｃが形成されていなくても良い。すなわち、カード収容部６ａ自体がカード回収庫６となっていても良い。さらに、上述した形態において、載置板６ｇは、カード収容部６ａの底面を構成していなくても良い。すなわち、カード収容部６ａは、カード収容部６ａの底面を構成する底面部を載置板６ｇの下側に備えていても良い。
【００６６】
上述した形態では、カード回収庫６は、カード発行装置１に使用されているが、カード回収庫６は、カード発行装置１以外のカード処理装置に使用されても良い。たとえば、カード回収庫６は、カード２の発行機能は備えていないが、カード２の回収機能を備えているカード処理装置に使用されても良い。
【符号の説明】
【００６７】
１  カード発行装置（カード処理装置）
２  カード
３  カードリーダ
４  装置フレーム
４ｇ  下面（フレーム下面）
６  カード回収庫
６ａ  カード収容部
６ｄ  前面部
６ｅ  後面部
６ｆ  側面部
６ｇ  載置板
６ｈ  載置面
６ｋ  傾斜面
６ｐ  上端面（前面部の上端面）
６ｒ  前端側突起
６ｔ  後端側突起
１２  圧縮コイルバネ（付勢部材）
【図１】
2019079106.tif 000003
【図２】
2019079106.tif 000004
【図３】
2019079106.tif 000005
【図４】
2019079106.tif 000006
【図５】
2019079106.tif 000007